(57)【要約】  本発明は、キャリアアセンブリ（２）、ベース（２０）にロックされることが可能なキャリア要素（２１）、および電気機器筐体（１）を取り付けるためのプラグ接続領域（２２）に関する。加えて、キャリア要素（２１）に調節可能に配置されるロック要素（２３）が設けられ、ロック要素はロック位置においてベース（２０）をキャリア要素（２１）とロックし、電子機器筐体がプラグ接続領域（２２）に取り付けられた場合、ロック位置においてブロックされて、ロック要素（２３）はロック位置から移動できないようになっている。このようにして、キャリアアセンブリが提供され、例えば電子機器筐体をキャリアレールに強固に接続し、例えば快適に取り扱われ、キャリアレールに取り付けられることを可能にしている。
2019511833.tif 000002
【特許請求の範囲】
【請求項１】
電子機器筐体（１）を担持するためのキャリアアセンブリ（２）であって、
ベース（２０）と、
該ベース（２０）にロックされることが可能なキャリア要素（２１）と、
前記電子機器筐体（１）が搭載されるスロット（２２）と、を備え、
ロック要素（２３）は、前記キャリア要素（２１）に調節可能に配置され、ロック位置にある場合に、前記ベース（２０）を前記キャリア要素（２１）にロックし、且つ前記電子機器筐体（１）が前記スロット（２２）に搭載されている場合に、前記ロック要素（２３）は、前記ロック位置から移動することが不可能であるように、前記ロック位置にブロックされることを特徴とするキャリアアセンブリ（２）。
【請求項２】
前記ロック要素（２３）は、前記電子機器筐体（１）が前記スロット（２２）に搭載される場合に、自身をロック解除位置から前記ロック位置へと調節するように設計されており、前記ロック解除位置において、前記ロック要素（２３）は前記ベース（２０）を前記キャリア要素（２１）にロックしないことを特徴とする請求項１に記載のキャリアアセンブリ（２）。
【請求項３】
前記ロック要素（２３）は、前記キャリア要素（２１）に対して前記ロック解除位置に向かって予備ばね荷重をかけていることを特徴とする請求項２に記載のキャリアアセンブリ（２）。
【請求項４】
前記ロック要素（２３）は、前記キャリア要素（２１）に回転可能に保持されていることを特徴とする請求項１から請求項３のいずれか一項に記載のキャリアアセンブリ（２）。
【請求項５】
前記ロック要素（２３）の第１端部は、少なくとも１つの締結要素（２３２）を備え、該締結要素を用いて、前記ロック要素（２３）は前記キャリア要素（２１）に調節可能に締結され、前記キャリアアセンブリの第２端部は、前記第１端部から離れており、前記ベース（２０）の対応したラッチ要素（２０５）と係合するための、少なくとも１つの相互ロック要素（２３４）を備えていることを特徴とする請求項１から請求項４のいずれか一項に記載のキャリアアセンブリ（２）。
【請求項６】
前記ロック要素（２３）は、延長面に沿って延びた基盤（２３０）、および該基盤（２３０）上に延び且つ前記延長面へと横方向に前記基盤（２３０）から突出した少なくとも１つの脚（２３１）、を備え、前記ベース（２０）の対応したラッチ要素（２０５）と係合するための前記少なくとも１つの相互ロック要素（２３４）は、前記脚に配置されていることを特徴とする請求項５に記載のキャリアアセンブリ（２）。
【請求項７】
前記ロック要素（２３）は、前記キャリア要素（２１）に対して前記ロック要素（２３）に予備荷重を与えるために、前記基盤（２３０）に配置されたばね脚（２３３）を備えていることを特徴とする請求項６に記載のキャリアアセンブリ（２）。
【請求項８】
前記ロック要素（２３）は、互いに横方向にオフセットされた２つの締結要素（２３２）と、互いに横方向にオフセットされた２つの脚（２３１）と、を備え、各脚は自身に配置された相互ロック要素（２３４）を備えていることを特徴とする請求項５から請求項７のいずれか一項に記載のキャリアアセンブリ（２）。
【請求項９】
前記ロック要素（２３）は、前記キャリア要素（２１）の第１開口部（２１６）を貫通し、前記ベース（２０）の第２開口部（２０４）内に係合することを特徴とする請求項１から請求項８のいずれか一項に記載のキャリアアセンブリ（２）。
【請求項１０】
請求項１から請求項９のいずれか一項に記載のキャリアアセンブリ（２）と、該キャリアアセンブリ（２）のスロット（２２）に搭載可能な電子機器筐体（１）と、を備えているモジュール。
【発明の詳細な説明】
【技術分野】
【０００１】
本発明は、請求項１の前段による電子機器筐体を担持するためのキャリアアセンブリに関する。
【背景技術】
【０００２】
この種のキャリアアセンブリは、例えば電子部品を備え得る電子機器筐体を担持するために使用される。導体は例えば、電子機器筐体に接続されるように意図されてもよく、これは電子機器筐体によって収容された電子部品への電力供給、電子部品へのセンサ信号の送信、または他のデータ信号の電子部品とのやりとりのためである。電子機器筐体は、キャリアアセンブリを利用してＤＩＮレールに固定されるように意図されてもよく、ＤＩＮレールは、ＤＩＮレールに横並びに搭載可能な複数のモジュールユニットを担持するように設計されて、モジュール型電子機器筐体、一連の端子、または他のデバイスを使用して、例えば制御、評価、または他の機能を実行することが可能な設備を提供することが可能であってもよい。
【０００３】
キャリアアセンブリは、ベースおよびベースにロックされることが可能なキャリア要素を備えている。電子機器筐体はキャリアアセンブリのスロットに搭載可能であり、搭載された場合、キャリアアセンブリに接続されて、それによりキャリアアセンブリに保持される。
【０００４】
特許文献１は、ＤＩＮレールに搭載可能なキャリアアセンブリを開示している。電気装置デバイスの筐体は、キャリアアセンブリに接続されることが可能である。
【０００５】
特許文献２から知られた接続デバイスの場合、筐体はラッチばねを備え、これを用いて、筐体は搭載フレームに固定されることが可能である。
【０００６】
特許文献３は、ＤＩＮレールに配置されることが可能であり、且つキャリアに筐体をラッチ接続するためのスロットの形成したキャリアを記載している。
【０００７】
特許文献４は、ＤＩＮレールに搭載される電子デバイスを開示している。電子デバイスは、取外し可能にＤＩＮレールに接続されることが可能な下側筐体部、および取外し可能に下側筐体部に接続されることが可能な上側筐体部、から成る筐体を備えている。
【０００８】
特許文献５は、電子機器筐体が搭載されるスロットを形成したキャリアアセンブリを開示している。このキャリアアセンブリは、これによりＤＩＮレールに電子機器筐体を保持するために、ＤＩＮレールに配置されることが可能である。
【先行技術文献】
【特許文献】
【０００９】
【特許文献１】独国特許出願公開第２０  ２７  １５７号明細書
【特許文献２】独国特許第１００  ３６  ８５３号明細書
【特許文献３】独国特許第１０１  １９  ４５７号明細書
【特許文献４】欧州特許第０  ９０９  １２２号明細書
【特許文献５】米国特許第６，８４０，８１９号明細書
【発明の概要】
【発明が解決しようとする課題】
【００１０】
本発明の目的は、電子機器筐体を例えばＤＩＮレールに強固に接続することが可能な、および取り扱いも快適であり、例えばＤＩＮレールに搭載するためのキャリアアセンブリを提供することである。
【課題を解決するための手段】
【００１１】
この目的は、請求項１の特徴を備えた主題により達成される。
【００１２】
それによれば、キャリアアセンブリはロック要素を備え、このロック要素はキャリア要素に調節可能に配置され、且つロック位置にある場合に、ベースをキャリア要素にロックし、電気機器筐体がスロットに搭載されている場合に、ロック位置にブロックされ、これによりロック要素は、ロック位置から移動することが不可能である。
【００１３】
ロック要素は、キャリア要素とベースとの間の強固なロックを確立し、このロックは、大きい電子機器筐体であっても強固にかつ確実に担持することが可能であるように設計され得る。そのロック位置において、ロック要素はベースをキャリア要素にロックする。この目的のために、ロック要素はロック解除位置とロック位置との間を移動可能であり、電子機器筐体がキャリアアセンブリによって形成されたスロットに搭載された場合、ロック位置においてブロックされる。
【００１４】
電子機器筐体がキャリアアセンブリのスロットに搭載された場合、ロック要素はそのロック位置においてブロックされるので、ベースとキャリア要素との間のロックは、電子機器筐体がキャリアアセンブリに配置されている場合、解除されることが不可能である。電子機器筐体が搭載された場合、したがって、ベースはキャリア要素に強固にかつ確実に接続されている。電気機器筐体が取り外された後のみに、ベースとキャリアとの間のロックが解除されることが可能になり、これによりキャリア要素はベースから離間され得る。
【００１５】
取り外し可能に相互接続されるベースおよびキャリア要素を備えた、二部品のキャリアアセンブリが提供されるので、モジュール様式において異なったベースおよびキャリア要素を相互接続することが可能である。例えば、同型のベースが、キャリアアセンブリをＤＩＮレールに固定するために提供され得る。ベースは多様なキャリア要素に接続されることが可能であり、多様な電子機器筐体がキャリアアセンブリに搭載されることが可能である。
【００１６】
この場合、電子機器筐体がキャリアアセンブリに搭載された場合、ロック要素はキャリア要素をベースにロックする。電子機器筐体がキャリアアセンブリに搭載された場合、これにより強固な接続が電気機器筐体、キャリア要素、およびベースの間に形成され、電気機器筐体は例えばスロット内にラッチ接続され、キャリア要素はベースにロックされる。
【００１７】
電気機器筐体がスロットに搭載された場合、ロック要素は、ロック解除位置からロック位置へと自身を調節するように好適に設計されている。電気機器筐体がスロットに搭載された場合、電気機器筐体はロック要素に作用して、ロック要素をロック解除位置からロック位置へと調節し、これにより電気機器筐体が搭載された場合、キャリア要素とベースとの間のロックが自動的に確立される。電子機器筐体がスロット内に挿入された場合、ロック要素はロック位置に保持され、したがってロック位置においてブロックされ、これによりキャリア要素とベースとの間のロックは、解除されることが不可能となる。
【００１８】
有利な実施形態においては、ロック要素は、キャリア要素に対してロック解除位置に向かって予備ばね荷重をかけられている。したがって、ロック要素のロック位置への移動は、予備ばね荷重に逆らって生じる。次いで、電子機器筐体がキャリアアセンブリから再度取り外された場合、予備ばね荷重により、ロック要素は自動的にロック解除位置に戻り、これにより電子機器筐体が取り外された場合、ロックが自動的に解除され、それ故、キャリア要素はベースから取り外されることが可能になる。
【００１９】
一実施形態においては、ロック要素はキャリア要素に回転可能に保持されている。ロック要素をロック解除位置とロック位置との間で移動させるために、それ故、ロック要素はキャリア要素に対して回転可能とされている。
【００２０】
この観点において、他の実施形態も原理的に考えられ、且つ可能でもあることが理解されるべきである。特に、ロック要素はキャリア要素に例えばスライド可能にも配置され、スライドを利用してロック解除位置とロック位置との間を移動され得る。
【００２１】
ロック要素をキャリア要素に固定するために、ロック要素は例えば第１端部において締結要素を備えてもよく、この締結要素は例えばフック形状とし得る。ロック要素は例えば、締結要素を用いて対応した締結要素内においてキャリア要素に懸架されることが可能であり、これによりロック要素は、キャリア要素に回転可能に保持されている。第１端部から離れた第２端部において、ロック要素は、第１端部とは対照的に、相互ロックし且つベースの対応したラッチ要素と係合することを目的とした要素を備えている。相互ロック要素は、キャリア要素とベースとの間のロックを確立し、アンダーカットの様式において形成されることが可能な相互ロック要素は、ロックの目的のためにベースの対応したラッチ要素の後方に係合し、これによりキャリア要素をベースに相互ロックの様式において固定する。この場合、力の流れは、ロック要素の第１端部の締結要素と、ロック要素の第２端部の相互ロック要素と、の間に展開している。この力の流れは、キャリア要素からベースへの、およびこれを通じて例えばベースが配置されたＤＩＮレールへの力を誘起する。
【００２２】
一実施形態においては、ロック要素は基盤を備え、この基盤は延長面に沿って延び、基盤上に延び且つ延長面へと横向きに基盤から突出した少なくとも１つの脚を備え、ベースの対応したラッチ要素に係合するための少なくとも１つの相互ロック要素は、脚に配置されている。少なくとも１つの締結要素は、例えば基盤に配置され、一方で少なくとも１つの脚は、少なくとも１つの相互ロック要素を担持している。１つ以上の脚が基盤から横向きに突出しているので、ロック要素の強度は、要素が例えばばね鋼のシート金属部品として製造され得、構造的に補強されている。
【００２３】
ばね脚はロック要素に配置され、これによりばね脚は基盤から突出して、ロック要素がロック位置へと移動された場合に、予備荷重をかけられた状態でキャリア要素と接触する。このばね脚は予備ばね荷重を提供し、この荷重は、ロック解除位置に向かってロック要素に予備荷重をかけることが可能である。
【００２４】
特別な実施形態においては、例えば２つの締結要素は互いに横方向にオフセットされ、２つの脚は互いに横方向にオフセットされ、各々の脚は自身に配置された相互ロック要素を備え、基盤に形成され得る。脚は、例えば基盤に沿って横向きに延び、基盤から延長面へと横方向に突出している。相互ロック要素は、各脚に形成されている。
【００２５】
ロック要素は例えば一体的に、例えばばね鋼から製造されている。
【００２６】
一実施形態においては、ロック要素は例えばキャリア要素の第１開口部を貫通して、ベースの第２開口部に係合する。ロック要素は例えばキャリア要素の第１開口部内に収まり、この開口部内において調節可能である。キャリア要素がベースに搭載された場合、ロック要素はベースの第２開口部と係合し、ロック位置に移動された場合に、キャリア要素とベースとの間の相互ロック接続を確立する。
【００２７】
キャリア要素を強固にかつ確実にベースに接続するために、複数のロックデバイスが設けられ得る。したがって、少なくとも１つのさらなるロックデバイスが、ロック要素に加えて好適に設けられ、このロックデバイスは、別の位置においてキャリア要素をベースに接続する。それ故、例えばキャリア要素は、（キャリア要素およびベースの長手伸長方向に対して、電子機器筐体がスロット内に挿入される挿入方向に対して横方向に、ならびにベースが搭載されるＤＩＮレールの長手方向に対して横方向に）相互にオフセットされた２つの位置においてベースにロックされることを意図されることが可能であり、また、原理的には、２箇所よりも多く、例えば３箇所においてロックを提供することも考えられ、且つ可能である。
【００２８】
有利なモジュールは、前述のタイプにしたがったキャリアアセンブリと、このキャリアアセンブリによって形成されたスロット内に挿入され得る電子機器筐体と、を備えている。電子機器筐体がキャリアアセンブリに搭載された場合、ロック要素はベースとキャリア要素との間に強固な接続を形成し、これにより電子機器筐体は、キャリア要素を用いて強固に、確実に、且つ可撓性の様式においてベースに保持されることが可能である。
【００２９】
本発明により解決される問題は、図示された実施形態を参照するとともに、以下により詳細に記載されることを意図している。
【図面の簡単な説明】
【００３０】
【図１】電子機器筐体が搭載されるキャリアアセンブリを示した斜視図である。
【図２Ａ】キャリア要素がキャリアアセンブリのベースに搭載される場合のキャリアアセンブリを示した端面図である。
【図２Ｂ】図２Ａの線Ｉ−Ｉに沿った断面を示した図である。
【図３Ａ】電子機器筐体が搭載される場合のキャリアアセンブリを示した端面図である。
【図３Ｂ】図３Ａの線ＩＩ−ＩＩに沿った断面を示した図である。
【図３Ｃ】モジュールを示した斜視図である。
【図４Ａ】電子機器筐体が搭載された場合のキャリアアセンブリを示した端面図である。
【図４Ｂ】図４Ａの線ＩＩＩ−ＩＩＩに沿った断面を示した図である。
【図４Ｃ】モジュールを示した斜視図である。
【図５Ａ】キャリア要素をベースにロックするためのロック要素を示した斜視図である。
【図５Ｂ】キャリア要素をベースにロックするためのロック要素を示した斜視図である。
【図６Ａ】ロック要素を示した正面図である。
【図６Ｂ】図６Ａの線ＩＶ−ＩＶに沿った断面を示した図である。
【図６Ｃ】ロック要素を示した側面図である。
【図６Ｄ】ロック要素を示した平面図である。
【発明を実施するための形態】
【００３１】
図１はキャリアアセンブリ２を示しており、このキャリアアセンブリは、ベース２０およびその上に搭載されるキャリア要素２１を備え、ベース２０上の締結点２００を利用してＤＩＮレール３に搭載されることが可能であり、電子機器筐体１を受容するためのスロット２２も形成している。
【００３２】
この種のキャリアアセンブリ２は、電子機器筐体１をＤＩＮレール３に配置するために使用される。結果として、電気機器筐体１を備えた複数のキャリアアセンブリ２が、モジュールの様式でＤＩＮレール上に挿入され、これにより随意的に一連のターミナルまたは類似したもののような他の部品と併せて、電子的設備がＤＩＮレール３上に形成されることが可能であり、その設備は、例えば制御、評価、または分布関数、もしくは類似したものを実行することが可能である。
【００３３】
ベース２０およびキャリア要素２１を備えたキャリアアセンブリ２は、二部品として形成されている。この場合、ベース２０およびキャリア要素２１の各々は、一体となってスロット２２を形成したガイド要素２０１、２１０を備え、それらの間に、電子機器筐体１が挿入方向Ｅにおいてプラグ接続可能である。この目的のために、２つのプラグ接続領域１０、１１が電子機器筐体１に形成され、その領域を利用して、電子機器筐体１はガイド要素２０１、２１０の間のプラグ接続されることが可能である。電子機器筐体１が搭載された場合、電子機器筐体１をキャリアアセンブリ２に接続するために、ガイド要素２０１、２１０は電子機器筐体１にラッチ係合することが可能である。
【００３４】
スロット２２の外側において、キャリア要素２１は例えば挿入開口部の配列を備え、それらの各々の内部には、キャリアアセンブリ２の導体と電気的に接触するために、導体が挿入されることが可能である。それに加えて、電気的プラグ接続コネクタがスロット２２に形成され、電子機器筐体１がスロット２２内に搭載された場合に、このコネクタは電子機器筐体１とプラグ係合して、それによりキャリアアセンブリ２と電子機器筐体１との間の電気的接触を確立してもよい。したがって、この種のプラグ接続コネクタ部を用いて、電気信号は、ターミナルデバイス２１５と、そこに接続された導体と、電子機器筐体１内に収容された電子機器と、の間で交換されることが可能である。
【００３５】
キャリア要素２１はベース２０に取り外し可能に搭載され、キャリアアセンブリ２を多様な電子機器筐体１の受け入れに関して調節するために、多様なキャリア要素２１をモジュール様式でベース２０に接続することも考えられ、且つ可能である。
【００３６】
図２Ａ、図２Ｂ、図３Ａから図３Ｃ、および図４Ａから図４Ｃは、キャリア要素２１がベース２０に結合される場合（図２Ａおよび図２Ｂ）の、電子機器筐体１が搭載される場合（図３Ａから図３Ｃ）の、および電子機器筐体１が搭載された位置（図４Ａから図４Ｃ）の、多様な位置におけるキャリアアセンブリ２を、電子機器筐体１と共に示している。図５Ａ、図５Ｂ、および図６Ａから図６Ｄは、ロック要素２３を別個の視点において示している。
【００３７】
キャリア要素２１をベース２０に搭載するために、図２Ｂによる断面図に見られているように、キャリア要素２１の一端をベース２０に取り付け、キャリア要素２１は、ベース２０に向かって回転方向Ｓに回転される。ロック要素２３の締結要素２３２は、基盤２３０上においてフックの形状であり（図５Ａおよび図５Ｂ参照）、キャリア要素２１の突起形状の対応した締結手段２１３に引っ掛けられて、これによりキャリア要素２１に保持され、ロック要素２３はキャリア要素２１の開口部２１６内に収まる。
【００３８】
図５Ａ、図５Ｂ、および図６Ａから図６Ｄに見られているように、ロック要素２３は２つのフック形状の締結要素２３２を備え、これらを用いて、ロック要素２３はキャリア要素２１のガイド要素２１０のベース側２１４に搭載され、このガイド要素はＵ字形状断面を有し、ロック要素２３の締結要素２３２の各々は、この目的のために、ガイド要素２１０のベース側２１４の対応した突起を留める。図２Ｂにしたがった位置において、キャリア要素２１がベース２０に搭載される場合、ロック要素２３は開口部２１６内において傾斜した位置にあり、ベース２０の開口部２０４と係合可能な状態であり、図２Ｂにしたがった断面図に見られているように、例えば回転方向Ｓにおいてベース２０に向かって回転されるキャリア要素２１を用いている。
【００３９】
キャリア要素２１がベース２０に搭載された場合、これにより電子機器筐体１は、ガイド要素２０１と２１０との間の対応したスロット２２内にプラグ接続されることが可能となり、これは図３Ａから図３Ｃに示されている。この目的のために、電子機器筐体１のプラグ接続領域１０、１１は、電子機器筐体１がキャリアアセンブリ２にラッチ係合されるまで、ガイド要素２０１、２１０と係合される。
【００４０】
電子機器筐体１がキャリアアセンブリ２に搭載された場合、キャリア要素２１のガイド要素２１０と対応した、電子機器筐体１のプラグ接続領域１１は、ロック要素２３に当たり、ロック要素を締結要素２３２の周りに回転させ、これによりロック要素２３の脚２３１上のフック状の相互ロック要素２３４は、ベース２０のラッチ縁形状のラッチ要素２０５と係合状態となり、これは図４Ｂにしたがった断面図に見られている。
【００４１】
図５Ａ、図５Ｂ、および図６Ａから図６Ｄによる詳細図に見られているように、脚２３１はロック要素２３の基盤２３０上で横向きに延び、且つ基盤２３０からその平坦な延長面へと横向きに突出している。締結要素２３２から離れた端部において、脚２３１は相互ロック要素２３４を担持しており、これを用いて、ロック要素２３が回転されてベース２０のラッチ縁２０５と係合された場合に、キャリア要素２１とベース２０との間に相互接続が確立される。
【００４２】
図示された冒頭の例においては、ロック要素２３は、例えばばね鋼製のシート金属部品として一体的に製造されている。脚２３１は基盤２３０上で横向きに延び、且つ基盤２３０から延長面へと横方向に突出しているので、寸法的に安定した部品が提供され、キャリア要素２１とベース２０との間の信頼性の高い弾性ロックを確立することが可能である。
【００４３】
ロック位置において、力の流れＦ（図６Ｃ参照）が、締結要素２３２と脚２３１の相互ロック要素２３４との間に生じる。この力の流れＦは、キャリア要素２１からベース２１への力、およびベースからＤＩＮレール３への力を遠ざけるように導くことが可能であり、これにより弾性接続が電子機器筐体１、キャリア要素２１、およびベース２０の間に形成される。
【００４４】
電子機器筐体１がキャリアアセンブリ２に搭載された場合、これにより電子機器筐体１は、そのロック位置（図４Ｂ参照）においてロック要素２３を保持する。したがって、電子機器筐体１がキャリアアセンブリ２に搭載された場合、ロック要素２３はロック位置においてブロックされ、これにより、電子機器筐体１が搭載された場合、少なくとも電子機器筐体１を取り外さなければ、キャリア要素２１とベース２０との間のロックは、容易に解除することが不可能である。
【００４５】
ロック要素２３がそのロック位置に移動された場合、ロック要素２３の、基盤２３０から突出したばね脚２３３は、キャリア要素２１と接触状態になる。ロック要素２３がロック位置に移動された場合、先のばね脚２３３は張力がかかった状態になり、これによりロック要素２３とキャリア要素２１との間に、ロック要素２３のロック解除位置に向かって予備ばね荷重を提供する。この結果として、電子機器筐体１がスロット２２から取り外された場合、ロック要素２３はそのロック解除位置へと自動的に回転して戻り、これによりキャリア要素２１とベース２０との間のロックは解除される。したがって、電子機器筐体１がスロット２２から取り外されると、キャリア要素２１およびベース２０は、互いから離間されることが可能となる。
【００４６】
図５Ａ、図５Ｂ、および図６Ａから図６Ｄによる詳細図に見られているように、締結要素２３２および相互ロック要素２３４の両方は、挿入方向Ｅに対して横方向に且つベース２０およびキャリア要素２１の長手伸長方向に対して横向きに、互いにオフセットされている。
【００４７】
本発明の基本的な概念は、前述の実施形態に限定されるものではなく、完全に異なった方式においても原理上は実施されることが可能である。
【００４８】
ここに記載されたタイプのキャリアアセンブリは、原理的に非常に多様な電子機器筐体に適しており、この点において、記載された実施形態に限定されるものではない。
【００４９】
原理上は、ロックは、キャリア要素とベースとの間の、ベースおよびキャリア要素の長手伸長方向において２箇所よりも多い位置に形成されることも可能であり、これは、キャリア要素とベースとの間に高度な弾性の接続を提供するためである。
【００５０】
この種のキャリアアセンブリおよび電子機器筐体のモジュールは、多くの使用可能性を有する。特に、電子機器筐体は、制御、評価、または他の機能を実行することが可能な電子部品を収容し得る。
【符号の説明】
【００５１】
１  ・・・電子機器筐体
１０、１１  ・・・プラグ接続領域
２  ・・・キャリアアセンブリ
２０  ・・・ベース
２００  ・・・締結点
２０１  ・・・ガイド要素
２０４  ・・・開口部
２０５  ・・・ラッチ要素（ラッチ縁）
２１  ・・・キャリア要素
２１０  ・・・ガイド要素
２１３  ・・・突起
２１４  ・・・ベース側
２１６  ・・・開口部
２２  ・・・スロット
２３  ・・・ロック要素
２３０  ・・・基盤
２３１  ・・・脚
２３２  ・・・締結要素（フック）
２３３  ・・・ばね脚
２３４  ・・・相互ロック要素
３  ・・・ＤＩＮレール
Ｅ  ・・・挿入方向
Ｆ  ・・・力の流れ
Ｓ  ・・・回転方向
【図１】
2019511833.tif 000003
【図２Ａ】
2019511833.tif 000004
【図２Ｂ】
2019511833.tif 000005
【図３Ａ】
2019511833.tif 000006
【図３Ｂ】
2019511833.tif 000007
【図３Ｃ】
2019511833.tif 000008
【図４Ａ】
2019511833.tif 000009
【図４Ｂ】
2019511833.tif 000010
【図４Ｃ】
2019511833.tif 000011
【図５Ａ】
2019511833.tif 000012
【図５Ｂ】
2019511833.tif 000013
【図６Ａ】
2019511833.tif 000014
【図６Ｂ】
2019511833.tif 000015
【図６Ｃ】
2019511833.tif 000016
【図６Ｄ】
2019511833.tif 000017
【国際調査報告】
2019511833.tif 000018
2019511833.tif 000019
2019511833.tif 000020
2019511833.tif 000021